(57)【要約】【課題】  電力供給停止対象者を１回訪問するだけで微小電力を供給するための電流制限器を取付けることができ、かつ電流制限器を必要とする該当者を精度よく選定する。【解決手段】  遠隔送電制御装置１０は、電力需要者（電力需要側）ごとに取付けられ、電力供給者（電力供給側）から電力需要者へ供給される電力量を計測する電力量計１と一体に、それぞれ金属または樹脂などから成る基台２上に取付けられて電力供給者から送信される遠隔の制御信号を受信する受信器（受信手段）３と、受信された制御信号に基づいて電力供給停止対象者への電力の供給停止または停止解除、あるいは電力供給停止対象者から選定された該当者への微小電力の供給を制御する制御器（制御手段）４と、制御器４の制御に基づいて該当者へ微小電力を供給する電流制限器（電流制限手段）５とを備えている。【選択図】  図１
2008017597.tif 000002
【特許請求の範囲】
【請求項１】
電力供給側から電力が供給される電力需要側の電力供給停止対象者から選定された該当者に、遠隔より制御されて微小電力が供給される遠隔送電制御装置であって、
前記電力供給側から送信される遠隔の制御信号を受信する受信手段と、
前記制御信号に基づいて前記電力供給停止対象者への電力の供給停止または停止解除、あるいは前記該当者への前記微小電力の供給を制御する制御手段と、
前記制御手段の制御に基づいて前記該当者へ前記微小電力を供給するための電流制限手段と、を備えた
ことを特徴とする遠隔送電制御装置。
【請求項２】
前記制御信号は、前記電力供給停止対象者への電力の供給停止を行う第１の制御信号、前記電力供給停止対象者への電力の供給停止解除を行う第２の制御信号、および前記電力供給停止対象者から選定された前記該当者への前記微小電力の供給を行う第３の制御信号を含む、
ことを特徴とする請求項１に記載の遠隔送電制御装置。
【請求項３】
前記第１または第２の制御信号により開閉動作が制御される電力遮断手段を備える、
ことを特徴とする請求項１または２に記載の遠隔送電制御装置。
【請求項４】
前記受信手段、前記制御手段および前記電流制限手段が、前記電力供給側から前記電力需要側へ供給される電力量を計測する電力量計と一体に取付けられる、
ことを特徴とする請求項１に記載の遠隔送電制御装置。
【請求項５】
請求項１〜４のいずれか１項に記載の遠隔送電制御装置を備え、前記電力供給側から前記電力需要側へ供給する電力を遠隔より制御する遠隔送電制御システムであって、
前記電力供給停止対象者に関する情報を格納しているデータベースを備え、このデータベースの情報に基づいて前記遠隔送電制御装置に制御信号を送信する遠隔操作制御装置を備えた、
ことを特徴とする遠隔送電制御システム。
【請求項６】
前記制御信号は、前記データベースの情報に基づいて生成されて前記第３の制御信号に相当する、
ことを特徴とする請求項５に記載の遠隔送電制御システム。
【請求項７】
電力供給側から電力需要側へ供給する電力を遠隔より制御する遠隔送電制御方法であって、
電力供給側に備えられたデータベースに格納されている電力供給停止対象者に関する情報に基づいて、前記電力供給側から前記電力需要側へ遠隔の制御信号を送信することにより前記電力供給停止対象者への電力の供給停止を行う段階と、
前記電力供給側から前記電力供給停止対象者に対して、電力の供給停止を行った旨を連絡する段階と、
前記電力供給停止対象者から前記電力供給側に対して、微小電力を供給するよう申請する段階と、
前記電力供給側において前記データベースの前記情報に基づいて前記申請者が前記微小電力を供給するに該当するか否かを判定する段階と、
前記判定の結果前記申請者が該当する場合は、この該当者に対して前記微小電力を供給するための電流制限器を取付けた後、前記電力供給側から前記電力需要側へ遠隔の制御信号を送信することにより前記電流制限器を動作させて前記該当者へ前記微小電力を供給する段階とを経る、
ことを特徴とする遠隔送電制御方法。
【発明の詳細な説明】
【技術分野】
【０００１】
本発明は、遠隔より制御して電力の供給を行う遠隔送電制御装置および遠隔送電制御システム、並びに遠隔送電制御方法に関する。
【背景技術】
【０００２】
電力会社などの電力供給者（電力供給側）から一般家庭などの電力需要者（電力需要側）へ電力を供給する場合は、電力供給者は需要者ごとに電力量計（積算電力量計）を取付けて、各電力量計の計測に応じた電気料金を計算して各需要者から徴収している。ここで、電力需要者が電気料金の支払を一定期間滞納すると、電力供給者は規定により電力需要者に対して電力を供給停止する措置をとる。一方、電力需要者が電気料金の支払を再開した場合には、電力供給者は電力の供給停止を解除して、電力需要者に対して電力の供給を開始する。そのように電力供給者が電力を供給停止する場合には、電力供給者は一般に専門的知識を有する作業員を営業所や電気工事会社から、電力供給停止対象者を訪問させて、電力を供給停止する電気工事を行う。
【０００３】
あるいは、電力供給停止対象者が遠方である場合などには、遠方地へその都度作業員を訪問させることによる作業効率の低下を回避するために、遠隔より制御して開放動作を行わせる遮断器（遠隔遮断装置）を備えた電力量計を予め電力需要者に取付けることも行われている（例えば、特許文献１参照。）。このような電力量計によれば、特に専門的知識を有する作業員でなくとも、電力供給者は必要に応じて遠隔から制御することにより遮断器を開放動作させて、電力を供給停止させることができるようになる。
【０００４】
このような背景において、電力供給停止中の電力需要者が、照明としてろうそくを利用することがあり、このろうそくが原因で火災に至る、いわゆるろうそく火災が発生するおそれがある。特に電力供給停止中の電力需要者の家族に、幼児や高齢者、あるいは障害者などの注意力に劣る弱者が含まれている場合は、不注意により火災が発生するおそれが高くなる。したがって、電力供給者が電力を供給停止する場合は、慎重に対応することが望まれており、公共事業者の立場からもより一層慎重な配慮を行うことが社会的に強く要請されている。
【０００５】
このような観点から、電力供給停止対象者の中で、特に上記のような弱者が含まれている電力需要者（該当者）に対しては、電力供給を完全に停止するのではなく、ろうそく火災のような災害を防止できる程度の微小電力を供給することが行われている。これにより、該当者は電球、蛍光灯などの照明を使用できるので、必要最小限の生活を営むことができるようになる。このように該当者のみに微小電力を供給する場合には、電力供給者は専門的知識を有する作業員を電力供給停止対象者へ訪問させて、先ず電力供給停止のための電気工事を行い、次に該当者を選定した後に改めて作業員を該当者へ訪問させて、上記のような微小電力を供給するように電流を制限する電流制限器（リミッタ）を取付けるための電気工事を行う。ここで、電流制限器を取付けるべき該当者は、電力供給停止対象者から電力供給者への電話などによる申請に基づいて選定している。
【特許文献１】特開平５−２０９８９８号公報
【発明の開示】
【発明が解決しようとする課題】
【０００６】
ところで、従来において上記のような電流制限器を取付けるためには、電力供給者は作業員を電力供給停止対象者へ２回も訪問させて電気工事を行う必要があるので、業務量が増加するという問題がある。すなわち、電力供給者は作業員を電力供給停止対象者へ訪問させて先ず電力供給停止のための１回目の電気工事を行った後に、改めて作業員を電力供給停止対象者から選定された該当者へ訪問させて電流制限器を取付けるための２回目の電気工事を行わねばならない。
【０００７】
また、従来においては、電流制限器を取付けるべき該当者の選定は電力供給停止対象者からの申請により行っているが、申請内容を確認するために連絡をとっても対象者が不在の場合もあるため、申請した者が該当するか否かを確認することが困難なので、選定の精度が低いという問題がある。すなわち、微小電力を供給するに該当しない電力供給停止対象者に対しても電流制限器を取付けてしまう場合があるので、余分なコストを負担するようになる。
【０００８】
また、上記の特許文献１に記載されているような遠隔遮断装置付電力量計では、遠隔より制御して電力の供給停止を行わせることが開示されているものの、電力供給停止中の電力需要者に対して、ろうそく火災のような災害を防止するために微小電力を供給するような考えは開示されていない。
【０００９】
そこで本発明は、電力供給停止対象者を１回訪問するだけで微小電力を供給するための電流制限器を取付けることができ、かつ電流制限器を必要とする該当者を精度よく選定することができる遠隔送電制御装置および遠隔送電制御システム、並びに遠隔送電制御方法を提供することを目的としている。
【課題を解決するための手段】
【００１０】
上記目的を達成するために請求項１に記載の発明は、電力供給側から電力が供給される電力需要側の電力供給停止対象者から選定された該当者に、遠隔より制御されて微小電力が供給される遠隔送電制御装置であって、前記電力供給側から送信される遠隔の制御信号を受信する受信手段と、前記制御信号に基づいて前記電力供給停止対象者への電力の供給停止または停止解除、あるいは前記該当者への前記微小電力の供給を制御する制御手段と、前記制御手段の制御に基づいて前記該当者へ前記微小電力を供給するための電流制限手段とを備えたことを特徴としている。
【００１１】
請求項２に記載の発明は、請求項１に記載の遠隔送電制御装置において、前記制御信号は、前記電力供給停止対象者への電力の供給停止を行う第１の制御信号、前記電力供給停止対象者への電力の供給停止解除を行う第２の制御信号、および前記電力供給停止対象者から選定された前記該当者への前記微小電力の供給を行う第３の制御信号を含むことを特徴としている。
【００１２】
請求項３に記載の発明は、請求項１または２に記載の遠隔送電制御装置において、前記第１または第２の制御信号により開閉動作が制御される電力遮断手段を備えることを特徴としている。
【００１３】
請求項４に記載の発明は、請求項１に記載の遠隔送電制御装置において、前記受信手段、前記制御手段および前記電流制限手段が、前記電力供給側から前記電力需要側へ供給される電力量を計測する電力量計と一体に取付けられることを特徴としている。
【００１４】
請求項５に記載の発明は、請求項１〜４のいずれか１項に記載の遠隔送電制御装置を備え、前記電力供給側から前記電力需要側へ供給する電力を遠隔より制御する遠隔送電制御システムであって、前記電力供給停止対象者に関する情報を格納しているデータベースを備え、このデータベースの情報に基づいて前記遠隔送電制御装置に制御信号を送信する遠隔操作制御装置を備えたことを特徴としている。
【００１５】
請求項６に記載の発明は、請求項５に記載の遠隔送電制御システムにおいて、前記制御信号は、前記データベースの情報に基づいて生成されて前記第３の制御信号に相当することを特徴としている。
【００１６】
請求項７に記載の発明は、電力供給側から電力需要側へ供給する電力を遠隔より制御する遠隔送電制御方法であって、電力供給側に備えられたデータベースに格納されている電力供給停止対象者に関する情報に基づいて、前記電力供給側から前記電力需要側へ遠隔の制御信号を送信することにより前記電力供給停止対象者への電力の供給停止を行う段階と、前記電力供給側から前記電力供給停止対象者に対して、電力の供給停止を行った旨を連絡する段階と、前記電力供給停止対象者から前記電力供給側に対して、微小電力を供給するよう申請する段階と、前記電力供給側において前記データベースの前記情報に基づいて前記申請者が前記微小電力を供給するに該当するか否かを判定する段階と、前記判定の結果前記申請者が該当する場合は、この該当者に対して前記微小電力を供給するための電流制限器を取付けた後、前記電力供給側から前記電力需要側へ遠隔の制御信号を送信することにより前記電流制限器を動作させて前記該当者へ前記微小電力を供給する段階とを経ることを特徴としている。
【発明の効果】
【００１７】
請求項１に記載の発明によれば、受信手段により受信した電力供給側からの遠隔の制御信号に基づいて、制御手段により電力供給停止対象者への電力の供給停止を制御した後に、電力供給停止対象者から選定された該当者を訪問して電流制限器を取付けるので、電力供給停止対象者を１回訪問するだけで電流制限器を取付けることができる。また、電流制限器を取付けることにより、電力供給側から遠隔制御により該当者へ微小電力を供給することができる。
【００１８】
請求項２に記載の発明によれば、電力供給停止対象者への電力の供給停止または停止解除、あるいは電力供給停止対象者から選定された該当者への微小電力の供給を、電力供給側から遠隔より３種類の制御信号を送信することによって制御することができる。
【００１９】
請求項３に記載の発明によれば、予め備えられている電力遮断手段の開閉動作を、電力供給側から遠隔より２種類の制御信号を送信することによって制御するので、電力供給停止対象者への電力の供給停止または停止解除を簡単に行うことができる。  
【００２０】
請求項４に記載の発明によれば、受信手段、制御手段および電流制限手段を電力供給側から電力需要側へ供給される電力量を計測する電力量計に取付けることにより遠隔送電制御装置を構成するので、遠隔送電制御装置を電力量計と一体にコンパクトに組立てることができ、コストアップを抑えることができる。
【００２１】
請求項５に記載の発明によれば、請求項１〜４のいずれか１項に記載の遠隔送電制御装置と、遠隔から制御信号を送信して遠隔送電制御装置の動作を制御し、電力供給停止対象者に関する情報を格納しているデータベースを備える遠隔操作制御装置とから遠隔送電制御システムを構成するので、電力供給停止対象者を１回訪問するだけで微小電力を供給するための電流制限器を取付けることができ、かつ電流制限器を必要とする該当者を精度よく選定することができる遠隔送電制御システムを実現することができる。
【００２２】
請求項６に記載の発明によれば、電力供給停止対象者から選定された該当者への微小電力の供給を制御する制御信号は、電力供給側に備えられたデータベースの電力供給停止対象者に関する情報に基づいて生成されるので、該当者を精度よく選定することができる。
【００２３】
請求項７に記載の発明によれば、電力供給側から遠隔制御により電力供給停止対象者に対して電力の供給停止を行った後、この電力供給停止対象者から電力供給側に微小電力を供給するように申請があったときは、電力供給側はデータベースに格納されている電力供給停止対象者に関する情報に基づいて、その電力供給停止対象者が微小電力を供給するに該当するか否かを判定する。そして、判定の結果該当する場合は、この該当者に電流制限器を取付けた後、電力供給側から遠隔より制御して電流制限器を動作させて該当者へ微小電力を供給する。したがって、電力供給停止対象者を１回訪問するだけで微小電力を供給するための電流制限器を取付けることができ、かつ電流制限器を必要とする該当者を精度よく選定することができる。
【発明を実施するための最良の形態】
【００２４】
以下、本発明を図示の実施形態に基づいて説明する。
【００２５】
図１は、本発明の実施形態１に係る遠隔送電制御装置１０の概略構成を示し、（ａ）は正面図、（ｂ）は側面図である。この遠隔送電制御装置１０は、電力需要者（電力需要側）ごとに取付けられ、電力供給者（電力供給側）から電力需要者へ供給される電力量を計測する電力量計１と一体に、それぞれ金属または樹脂などから成る基台２上に取付けられて電力供給者から送信される遠隔の制御信号を受信する受信器（受信手段）３と、受信された制御信号に基づいて電力供給停止対象者への電力の供給停止または停止解除、あるいは電力供給停止対象者から選定された該当者への微小電力の供給を制御する制御器（制御手段）４と、制御器４の制御に基づいて該当者へ微小電力を供給する電流制限器（電流制限手段）５とを備えている。
【００２６】
電力量計１は、電力消費量に比例した電力量を指示するメータ１Ａが基台２上に取付けられて、メータ１Ａの全体は周囲から保護するための透明カバー１Ｂで覆われている。電力量計１の一端には電源（例えば、単相二線式または単相三線式交流１００Ｖ）側配線６Ａが接続される一方、その他端には負荷側配線６Ｂが接続される。受信器３には電力供給者から送信される遠隔の制御信号を受信するアンテナ３Ａが設けられている。このアンテナ３Ａは受信器３に内蔵されていてもよい。
【００２７】
電流制限器５は、電力供給停止対象者から選定された該当者に、ろうそく火災のような災害を防止できる程度の微小電力を供給するように電流を制限するためのもので、電力供給停止対象者の屋内に例えば１アンペアの電流を流すように働く。この電流値は必要に応じて調整することができる。また、基台２上には電力供給者から送信される遠隔の制御信号により制御器４の制御の基に、電力の供給または停止を行うために開閉動作が制御される遮断器（電力遮断手段）７が取付けられている。受信器３、制御器４、電流制限器５あるいは遮断器７などは、モジュール構造となして着脱可能に基台２上に取付けられ、取付けに際しては一般に周知の無停電端子を用いて、常に電力供給を停止させることがないように行われる。
【００２８】
図２は、本実施形態１に係る遠隔送電制御装置１０の電気的接続関係を示す結線図である。電圧コイルおよび電流コイル（いずれも図示せず）を主構成部品として有する電力量計１には，電流コイルと直列に電流制限器５が接続され、電流制限器５には使用される負荷と並列になるように遮断器（電力遮断手段）７が接続される。アンテナ３Ａを有する受信器３には制御器４が接続され、制御器４には電流制限器５が接続されるとともに、遮断器７の開閉動作を制御するリレー回路８が接続される。
【００２９】
本実施形態１の遠隔送電制御装置１０には、後述するように、遠隔操作制御装置２０が組み合わされて遠隔送電制御システム３０が構成されるが、その遠隔操作制御装置２０から送信される遠隔の制御信号の種類に応じて、制御器４はリレー回路８を介して遮断器７の開閉動作を制御することにより電力供給停止対象者への電力の供給停止または停止解除を行い、あるいは制御器４は直接に電流制限器５を制御することにより電力供給停止対象者から選定された該当者への微小電力の供給を行う。
【００３０】
図３は、本実施形態２に係る遠隔送電制御システム３０の電気的接続関係を示す結線図である。この遠隔送電制御システム３０は、本実施形態１に係る遠隔送電制御装置１０と、この遠隔送電制御装置１０の動作を遠隔より制御する遠隔操作制御装置２０とから構成される。遠隔操作制御装置２０は、電力需要者あるいは電力供給停止対象者に関する情報を格納しているデータベース１１と、遠隔送電制御装置１０へ遠隔の制御信号を送信するアンテナ１２Ａが設けられた送信器（送信手段）１２と、データベース１１の情報に基づいて送信器１２を制御し必要に応じて電気料金の計算、電気料金の滞納者の検索（サーチ）などの演算機能を有する演算制御部１３と、必要な情報を入力するディスプレイ付きの入力部１４とを備えている。
【００３１】
入力部１４からは電力需要者に関する各種の情報が入力可能になっており、図４に示すように、例えば、契約者番号、契約者氏名、住所、電話番号、家族構成、電気料金の支払状況、取引金融機関名、口座番号などの情報が入力されて、データベース１１にデータとして格納される。それらの情報は必要に応じて入力部１４のディスプレイに表示可能になっており、また入力部１４の操作により更新可能になっている。したがって、データベース１１の情報を参照して入力部１４のディスプレイに表示することにより、電気料金を一定期間滞納している電力供給停止対象者を容易に把握することができるので、このような対象者に対しては入力部１４を操作することにより遠隔操作制御装置２０から遠隔送電制御装置１０に遠隔の制御信号を送信して、電力を供給停止する措置をとる。一方、電力供給停止対象者が滞納している電気料金を支払った場合には、入力部１４を操作することにより滞納に関する情報を削除するとともに、遠隔操作制御装置２０から遠隔送電制御装置１０に遠隔の制御信号を送信して、電力供給停止を解除する措置をとる。制御信号には、各電力需要者ごとに取付けられている遠隔送電制御装置１０を特定（識別）できるように、契約者に対応したＩＤ情報が含まれる。
【００３２】
また、電力供給停止中の電力需要者から電力供給者に対して、家族に幼児や高齢者、あるいは障害者などの注意力に劣る弱者が含まれているので、必要最小限の生活を営むための微小電力を供給して欲しい旨の申請があった場合は、電力供給者はデータベース１１の家族に関する情報を参照して入力部１４のディスプレイに表示することにより、そのような弱者が含まれているか否かの判定（審査）を容易に行うことができる。したがって、微小電力を供給すべき該当者を電力供給停止対象者の中から精度よく選定することができるようになる。該当者に対しては入力部１４を操作することにより遠隔操作制御装置２０から遠隔送電制御装置１０に遠隔の制御信号を送信して、微小電力を供給する措置をとる。
【００３３】
遠隔操作制御装置２０の入力部１４の操作により、電力供給停止対象者への電力の供給停止を行う場合、または電力の供給の停止解除を行う場合、あるいは該当者への微小電力の供給を行う場合は、遠隔操作制御装置２０の演算制御器１３の制御の基に送信部１２はアンテナ１２Ａからそれぞれ相当した制御信号を遠隔送電制御装置１０に送信する。すなわち、図５に示すように、電力供給停止対象者への電力の供給停止を行う場合は第１の制御信号Ｓ１を送信し、電力の供給停止解除を行う場合は第２の制御信号Ｓ２を送信し、該当者への微小電力の供給を行う場合は第３の制御信号Ｓ３を送信する。
【００３４】
次に、本実施形態２に係る遠隔送電制御システム３０により遠隔送電制御を行う方法について、図６のフローチャートを参照して説明する。まず、電力供給者は遠隔操作制御装置２０に備えられたデータベース１１に格納されている、図４に示されているような電力需要者に関する情報を参照して、電気料金を一定期間滞納している電力供給停止対象者を検索する。次に、電力供給者は入力部１４を操作して電力供給停止対象者を特定することにより、演算制御器１３の制御の基に送信器１２からアンテナ１２Ａを通じて、特定の遠隔送電制御装置１０へ遠隔の第１の制御信号Ｓ１を送信する。一方、電力需要者は遠隔送電制御装置１０に備えられた制御器４の制御の基にアンテナ３Ａを通じて、受信器３により第１の制御信号Ｓ１を受信する。次に、制御器４は受信した第１の制御信号Ｓ１が電力の供給停止用信号であることを解読した後、リレー回路８を介して遮断器７を開放するように制御して電力供給停止対象者への電力の供給を停止する（ステップＳ１）。
【００３５】
次に、電力供給者は電力を供給停止した電力供給停止対象者に対して、チラシ配布などを行って電力を供給停止した措置をとった旨を連絡する。このとき、前記したように家族に弱者が含まれているような該当者には、必要最小限の生活を営むことができる程度の微小電力を供給することが可能であることの説明を加える（ステップＳ２）。
【００３６】
次に、電力の供給停止の措置をとった電力供給停止対象者から電力供給者に対して、携帯電話、固定電話、パソコン、ＦＡＸあるいは口頭などの連絡方法で、微小電力を供給するよう申請（連絡）が有ったか否かを確認する（ステップＳ３）。
【００３７】
次に、申請があった者に対しては、電力供給者は遠隔操作制御装置２０に備えられたデータベース１１に格納されている、図４に示されている情報の中から家族構成の内容を参照して、微小電力を供給するに該当するか否かを判定（審査）する。すなわち、申請者が
微小電力を供給するように電流を制限するための電流制限器の取付けの要否を判定する（ステップＳ４）。
【００３８】
従来においては、微小電力を供給するように申請があっても、客観的な情報がなかったので申請者が該当するか否かを確認することが困難であったが、本発明によればデータベース１１に格納されている客観的な情報に基づいて要否を判定することができるので、電力供給停止対象者から該当者を選定する精度を高めることができるようになる。なお、ステップＳ３において連絡がなかった電力供給停止対象者、あるいはステップＳ４において申請がなかった電力供給停止対象者に対しては、電力の供給停止を継続する。
【００３９】
次に、ステップＳ４における判定の結果該当すると判定した場合は、電力供給者は専門的知識を有する作業員を営業所や電気工事会社から、該当者を訪問させて電流制限器５の取付けを行う。この電流制限器５は、図１に示したように、電力量計１と一体になるように基台２上に取付けられる（ステップＳ５）。
【００４０】
このように本発明によれば、電力供給者が電気工事を行うために作業員を電力供給停止対象者へ訪問させる回数は、その電流制限器５を取付けるための１回だけでよいので、業務量を低減することができるようになる。
【００４１】
次に、電力供給者は遠隔操作制御装置２０の入力部１４を操作して演算制御器１３の制御部の基にアンテナ１２Ａから遠隔送電制御装置１０へ遠隔の第３の制御信号Ｓ３を送信する。一方、電力需要者は遠隔送電制御装置１０のアンテナ３Ａから第３の制御信号Ｓ３を受信する。次に、制御器４は受信した第３の制御信号Ｓ３が微小電力を供給する電流制限用信号であることを解読した後、直接に電流制限器５を制御して該当者へ微小電力を供給する（ステップＳ６）。
【００４２】
なお、電力供給停止対象者が滞納している電気料金の支払を再開した場合には、電力供給者は遠隔操作制御装置２０の入力部１４を操作することにより、演算制御器１３の制御の基にアンテナ１２Ａから遠隔送電制御装置１０へ遠隔の第２の制御信号Ｓ２を送信する。一方、電力需要者は遠隔送電制御装置１０のアンテナ３Ａから第２の制御信号Ｓ２を受信し、制御器４は受信した第２の制御信号Ｓ２が電力の供給停止解除用信号であることを解読した後、リレー回路８を介して遮断器７を閉鎖するように制御して電力供給停止対象者への電力の供給停止を解除する。したがって、電力供給停止対象者に対して電力の供給が開始される。
【００４３】
以上のような本実施形態２に係る遠隔送電制御システム３０により遠隔送電制御を行う方法によれば、システム３０を遠隔送電制御装置１０とこの遠隔送電制御装置１０の動作を遠隔制御する遠隔操作制御装置２０とにより構成し、電力供給者から遠隔制御により電力供給停止対象者に対して電力の供給停止を行った後、この電力供給停止対象者から電力供給者に微小電力を供給するように申請があったときは、電力供給者は遠隔操作制御装置２０のデータベース１１に格納されている電力供給停止対象者に関する情報に基づいて、その電力供給停止対象者が微小電力を供給するに該当するか否かを判定して、判定の結果該当する場合はこの該当者に電流制限器５を取付けた後、電力供給者から遠隔制御して電流制限器５を動作させて該当者へ微小電力を供給する。したがって、電力供給停止対象者を１回訪問するだけで微小電力を供給するための電流制限器を取付けることができ、かつ電流制限器を必要とする該当者を精度よく選定することができる。
【００４４】
このように、電力供給者は作業員を電力供給停止対象者へ１回訪問させるだけで必要な電気工事を終了させることができるので、業務量の増加を防止することができる。また、電力供給停止対象者が不在の場合でも、データベースの情報を参照することにより申請内容を確認することができ、該当者を選定する作業処理を円滑に行うことができるので電力供給者の負担が少なくなる。
【００４５】
以上、本発明の実施形態について説明したが、具体的な構成は、本実施形態に限られるものではなく、この発明の要旨を逸脱しない範囲の設計の変更などがあっても、この発明に含まれる。例えば、本実施形態では、微小電力を供給するための電流制限器の取付けは、電力供給停止対象者からの申請があった後に遠隔操作制御装置に備えられたデータベースの情報に基づいて選定した該当者に対して行っていたが、電力供給停止中であっても、遠隔操作制御装置のデータベースの情報を定期的にあるいはランダムにサーチすることにより、情報の内容が変更されて家族構成に弱者が含まれるように更新されている場合には、サーチした時点でその事実を把握して自動的に遠隔操作制御装置から遠隔送電制御装置に制御信号を送信して、該当者に微小電力を供給するように制御することもできる。逆に、サーチした時点で該当者でなくなっていることが判明した電力供給停止対象者に対しては、自動的に遠隔操作制御装置から遠隔送電制御装置に電力供給を停止させる制御信号を送信するように制御することもできる。これによって、電力供給停止対象者から該当者を選定する精度をより高めることができるので、電力供給者に与える負担をより少なくすることができるようになる。また、本実施形態では、電流制限器を電力量計と一体に取付ける例で説明したが、取付けスペースなどを考慮して電力量計と別の場所に取付けるようにしてもよい。また、遠隔による制御方法は無線通信による例で説明したが、これに限らずインターネットなどの通信網を利用して制御信号を送信するようにしてもよい。また、電流制限器を遮断器と別に設けて微小電力を供給する例で説明したが、電流制限器の機能を遮断器に備えさせるようにすることも可能である。
【図面の簡単な説明】
【００４６】
【図１】本発明の実施形態１に係る遠隔送電制御装置の概略構成を示し、（ａ）は正面図、（ｂ）は側面図。
【図２】本発明の実施形態１に係る遠隔送電制御装置の電気的接続関係を示す結線図。
【図３】本発明の実施形態２に係る遠隔送電制御システムの電気的接続関係を示す結線図。
【図４】本発明の実施形態２に係る遠隔送電制御システムを構成する遠隔操作制御装置のデータベースに格納される情報を示す概略図。
【図５】本発明の実施形態２に係る遠隔送電制御システムを構成する遠隔操作指令装置から遠隔送電制御装置へ送信される遠隔の制御信号を示す概略図。
【図６】本発明の実施形態２に係る遠隔送電制御システムの動作を示すフローチャート。
【符号の説明】
【００４７】
１          電力量計
１Ａ        メータ
１Ｂ        透明カバー
２          基台
３          受信器（受信手段）
３Ａ        アンテナ
４          制御器（制御手段）
５          電流制限器(電流制限手段)
６Ａ        電源側配線
６Ｂ        負荷側配線
７          遮断器（電力遮断手段）
８          リレー回路
１０        遠隔送電制御装置
１１        データベース
１２        送信器（送信手段）
１２Ａ      アンテナ
１３        演算制御器
１４        入力部
２０        遠隔操作制御装置
３０        遠隔送電制御システム
【図１】
2008017597.tif 000003
【図２】
2008017597.tif 000004
【図３】
2008017597.tif 000005
【図４】
2008017597.tif 000006
【図５】
2008017597.tif 000007
【図６】
2008017597.tif 000008